(57)【要約】【課題】従来の装身用サポータ類においては治療目的だけに重点が置かれ、ユーザーの日常生活での装着の利便性、快適性が二次的なものとなっており、装着によって発生する日常生活の不具合は、ユーザーにとって装着の利便性、快適性よりも大きな負担になっている。【解決手段】本発明装身用サポータは、平面形状が略Ｘ字状に形成されたフレキシブル合成樹脂製保持部材のリブ部分の一方の面に凹部を形成し、該凹部に変形温度が３０〜４０℃の超弾性形状記憶合金プレートを嵌挿し、装身用布材に当接される該合成樹脂製保持部材を融着にて固定したものである。【選択図】図１
2004052202.tif 000002
【特許請求の範囲】
【請求項１】
平面形状が略Ｘ字状に形成されたフレキシブル合成樹脂製保持部材のリブ部分の一方の面に凹部を形成し、該凹部に変形温度が３０〜４０℃の超弾性形状記憶合金プレートを嵌挿し、装身用布材に当接される該合成樹脂製保持部材を融着して構成したことを特徴とする装身用サポータ。
【請求項２】
フレキシブル合成樹脂製保持部材の左右対称のリブ部分が、中央部にてフレキシブルに連結されていることを特徴とする請求項１の装身用サポータ。
【請求項３】
フレキシブル合成樹脂製保持部材のリブ部分の一方の面に形成された凹部と、該凹部に嵌挿される超弾性形状記憶合金プレートとの間にはクリアランスがあるように構成されていることを特徴とする請求項１の装身用サポータ。
【請求項４】
装身用布材が伸縮性繊維からなり、フレキシブル合成樹脂製保持部材を融着可能な材質で構成されていることを特徴とする請求項１の装身用サポータ。
【発明の詳細な説明】
【０００１】
【産業上の利用分野】
本発明は装身用サポータに関し、特にユーザーの腰痛からの開放、日常生活での装着の利便性、快適性を目的とした装身用サポータに関するものである。
【０００２】
【従来の技術】
従来、腰痛対策として様々な手術、治療法、代替治療、治療器具等が考案されているが、治療器具の殆どが腰部の固定、支持を中心としており、腰部を圧迫し腹圧を上げて固定し、腰痛の軽減、予防を図ろうとするものであった。例えば、実開平２−１０４２２８号公報に開示されている布製装身品の弾性芯材としては鋼線を一方向に蜜に巻き、かつ外形を扁平棒状に形成した芯材本体の内部に、その軸線方向の全長にわたって形状記憶合金からなる芯金を内設してなり、衣料類等の保型が必要な部分に取り付けられる布製装身品の弾性芯材であり、形状記憶合金からなる芯金を合成樹脂材によって包み込み、芯金と芯材本体との隙間を埋めてなるものであった。
【０００３】
また、従来のこの種の矯正サポート用の支持部骨組みは、ほぼ長方形で左右平行に、脊椎を中心にして独立配置となっていた。
【０００４】
【発明が解決しようとする課題】
前記せるような従来のものは、治療目的だけに重点を置き、ユーザーの日常生活での装着の利便性、快適性が二次的なものとなっており、装着によって発生する日常生活の不具合は、ユーザーにとって装着の利便性、快適性よりも大きな負担になっている。
【０００５】
ユーザーは従来の治療装具の装着時に於いて下記のような不満を持っている。即ち、仕事をする場合、嵩張ってしまうので作業に支障仮称ずる。装着して外出する場合、嵩張るので好きな洋服でオシャレができない。夏など暑いときには、汗をかいたり、とても暑く、あせも等ができてしまうので装着できない。金属製の骨組みが腰や背中に当たってしまうので痛くて装着するのがつらい。スポーツタイプのものは高価で、大げさになる。小・中・高校生でも腰痛患者がいるが学校につけていくのが恥ずかしい。出産前の保護の腹帯、産後の体形の補正・矯正のために妊娠時や出産後にもつけたいけれども良いものがない。外出の途中で外したくても簡単に外せないし、嵩張ってしまうので持ち運びに困る。固定する時間が長くて、かえって筋力が落ちてしまい悪化する場合がある。腰痛で悩む若い男女もいるが、装着が嵩張るので、デートしかり食事するのも気が引ける。ベルト装着すると大げさな病人みたいに感じてしまう。等々の不具合がある。
また、既存のプロテクターでは形状記憶合金を包み込んだ合成樹脂を更に縫製によってサポータ本体に取り付けてあるので温度伝導率も悪いものであった。
【０００６】
【課題を解決するための手段】
本発明は前期せるような従来の課題を解決するために鋭意研究した結果、本発明を創案したものであり、平面形状が略Ｘ字状に形成されたフレキシブル合成樹脂製保持部材のリブ部分の一方の面に凹部を形成し、該凹部に変形温度が３０〜４０℃の超弾性形状記憶合金プレートを嵌挿し、装身布材に当接される該合成樹脂製保持部材を融着して構成したことを特徴とし、フレキシブル合成樹脂製保持部材の左右対称のリブ部分が、中央部にてフレキシブルに連結されていることを特徴と、フレキシブル合成樹脂製保持部材のリブ部分の一方の面に形成された凹部と、該凹部に嵌挿される超弾性形状記憶合金プレートとの間にはクリアランスがあるように構成したことを特徴とし、且つ、装身布材が伸縮性繊維からなり、フレキシブル合成樹脂製保持部材を融着可能な材質で構成したことを特徴とする装身用サポータを提供する。
【０００７】
【発明の実施の形態】
以下、図面に基づき本発明の装身用サポータの実施の形態を詳細に説明する。図面に於いて、図１は本発明装身用サポータの平面図である。図２は図１のＡ−Ａ断面図である。図３は図１のＢ−Ｂ断面図である。図４は図１のＣ−Ｃ断面図である。図５乃至図６は使用状態説明図である。図７は本発明に基づく他の実施例を示す使用状態説明図である。
【０００８】
フレキシブル合成樹脂製保持部材１は図１乃至図５に示すように平面形状が略Ｘ字状に形成されており、該フレキシブル合成樹脂製保持部材１の対称的に形成されたリブ部分１１、１１には、その一方の面にそれぞれ凹部１２、１２が設けられていおり、該リブ部分１１、１１の中央の連結部１３はフレキシブル合成樹脂製保持部材１の材質と一体的にフレキシブルに連結されている。
【０００９】
リブ部分１１、１１に設けられた凹部１２、１２にはそれぞれ変形温度が３０〜４０℃の超弾性形状記憶合金プレート３、３が嵌挿されており、該超弾性形状記憶合金プレート３、３と凹部１２、１２との間にはそれそれ僅かなクリアランス３１がある。
【００１０】
装身布材２は伸縮性のある繊維からなり、フレキシブル合成樹脂製保持部材１を融着可能な材質で構成され、装身用布材２とフレキシブル合成樹脂製保持部材１との当接部分は融着部４で完全に融着されており、使用中や洗濯等で容易に剥離することはなく、強固に融着されている。
【００１１】
前期せる融着による方法は、従来の縫製による形状記憶合金プレートの取付や形状記憶合金プレートを完全に合計樹脂で包み込んでしまう場合と比較すると下記の特徴がある。即ち、布への縫製による包み込みや合成樹脂での完全な包み込みでは温度の伝導性が悪く、形状記憶合金プレートの形状変化への対応性も悪く、外観的にも嵩張ってしまうので前記したような不具合を生じているのに対して、本発明による装身用サポータでは人体からの温度の伝導がよく、超弾性形状記憶合金プレート３の形状変化に対しても、超弾性形状記憶合金プレート３と凹部とのクリアランスのためにその形状変化へのフレキシブル合成樹脂製保持部材１の追従性が優れている。
【００１２】
【実施例】
本発明装身用サポータを図５乃至図６に示すように使用してみると、超弾性形状記憶合金プレート１の復元力により、腰部の曲げ戻し支持の効果で、背筋及び腹筋の支持、負担の軽減に役立ち、超弾性形状記憶合金プレート１の適度な反発力のために、筋力や筋力のバランス及び腰椎前彎部等の回復の役にたつことが実証された。
【００１３】
図７の本発明に基づく他の実施例では、装着者の腰部の回転、ひねりに対しても抵抗なく、不用意に急激な動作をしたときでも、フレキシブル合成樹脂製保持部材１の緩衝効果でギックリ腰等の発生の防止にも役立つものである。
【００１４】
【発明の効果】
本発明装身用サポータは、リブ部分１１、１１の中央の連結部１３がフレキシブル合成樹脂製保持部材１の材質と一体的にリブ部分１１、１１をレキシブルに連結しているので、装着者の腰部の回転、ひねりに対しても緩衝効果があり、不用意に急激な動作をしたときでも、フレキシブル合成樹脂製保持部材１の平面形状が略Ｘ字状に形成されているので、緩衝効果があり、ギックリ腰等の発生の防止にも役立つものであり、更に超弾性形状記憶合金プレート１の復元力により、腰部の曲げ戻し支持の効果で、背筋及び腹筋の支持、負担の軽減に役立ち、超弾性形状記憶合金プレート１の適度な反発力のために、筋力や筋力のバランス及び腰椎前彎部等の回復の役にたつ効果がある。
【図面の簡単な説明】
【図１】本発明装身用サポータの平面図である。
【図２】図１のＡ−Ａ断面図である。
【図３】図１のＢ−Ｂ断面図である。
【図４】図１のＣ−Ｃ断面図である。
【図５】使用状態説明図である。
【図６】使用状態説明図である。
【図７】他の実施例を示す使用状態説明図である。
【符号の説明】
１．フレキシブル合成樹脂製保持部材
１１．リブ部分
１２．凹部
１３．連結部
２．装身用布材
３．超弾性形状記憶合金プレート
３１．クリアランス
４．融着部
５．人体
【図１】
2004052202.tif 000003
【図２】
2004052202.tif 000004
【図３】
2004052202.tif 000005
【図４】
2004052202.tif 000006
【図５】
2004052202.tif 000007
【図６】
2004052202.tif 000008
【図７】
2004052202.tif 000009